(57)【要約】【課題】電子機器における電池残量やメモリ残量を適時に通知する情報装置を提供する。【解決手段】情報装置２００は、位置検出部と、通信部と、制御部とを備える。位置検出部は、情報装置２００が特定の場所に位置していること、及び情報装置２００が特定の場所から離れていることの少なくとも一方を示す特定の位置情報を検出する。通信部は、位置検出部が特定の位置情報を検出すると、電子機器１００と通信し、電子機器１００から、電子機器１００の電池残量及びメモリ残量の少なくとも一方に関する残量情報を取得する。制御部は、残量情報に示される電池残量及びメモリ残量の少なくとも一方が、あらかじめ設定された閾値を下回っている場合に、電池残量及びメモリ残量の少なくとも一方が閾値を下回っていることを示す報知信号を出力する。【選択図】図４
2018026780.tif 000002
【特許請求の範囲】
【請求項１】
情報装置が特定の場所に位置していること、及び前記情報装置が前記特定の場所から離れていることの少なくとも一方を示す特定の位置情報を検出する位置検出部と、
前記位置検出部が前記特定の位置情報を検出すると、電子機器と通信し、前記電子機器から、前記電子機器の電池残量及びメモリ残量の少なくとも一方に関する残量情報を取得する通信部と、
前記残量情報に示される前記電池残量及び前記メモリ残量の少なくとも一方が、あらかじめ設定された閾値を下回っている場合に、前記電池残量及び前記メモリ残量の少なくとも一方が前記閾値を下回っていることを示す報知信号を出力する制御部と、
を備えた情報装置。
【請求項２】
前記特定の位置情報は、前記情報装置が前記特定の場所に位置していることを示し、
前記位置検出部は、前記情報装置があらかじめ登録されたアクセスポイントに接続されている場合、及び前記情報装置に搭載されたＧｌｏｂａｌ  Ｐｏｓｉｔｉｏｎｉｎｇ  Ｓｙｓｔｅｍの位置情報が前記特定の場所を示す場合の少なくとも一方である場合に、前記特定の位置情報を検出する、請求項１記載の情報装置。
【請求項３】
前記情報装置は、
さらに、前記通信部と前記電子機器とが通信を開始する通信開始時間を設定する時間設定部を備え、
前記制御部は、前記特定の位置情報を検出し、かつ、前記時間設定部に設定された前記通信開始時間になると、前記通信部に前記電子機器と通信を開始させる、請求項１記載の情報装置。
【請求項４】
前記情報装置は、
さらに、前記情報装置の使用者のスケジュールを管理するスケジュール管理部を備え、
前記制御部は、前記スケジュール管理部に設定された前記スケジュールに基づいて、前記時間設定部に前記通信開始時間を設定する、請求項３記載の情報装置。
【請求項５】
前記制御部は、前記電子機器から前記電池残量に関する前記残量情報を取得できなかった場合は、前記電子機器には電池が装着されていないことを報知する報知信号を出力する、請求項１記載の情報装置。
【請求項６】
前記制御部は、前記電子機器から前記メモリ残量に関する前記残量情報を取得できなかった場合は、前記電子機器にメモリが装着されていないことを報知する報知信号を出力する、請求項１記載の情報装置。
【発明の詳細な説明】
【技術分野】
【０００１】
本開示は、情報装置に関する。
【背景技術】
【０００２】
撮像装置を持って出かけている時、撮影する段階で撮像装置の使用者が電池残量不足や記録残量不足に気がつき、撮影機会を逃すといった問題が発生することがある。そこで特許文献１では、撮像装置に内蔵される電池の容量が少なくなると、それを警告する情報を通信装置に送り、通信装置によって報知することが提案されている。
【先行技術文献】
【特許文献】
【０００３】
【特許文献１】特開２００１−１１１９７７号公報
【発明の概要】
【発明が解決しようとする課題】
【０００４】
特許文献１の方法であると、外出先で通信装置によって電池残量が少ないことが報知されても電池を充電する設備や時間がない場合は、結局、撮影機会を逃してしまうことになる。
【課題を解決するための手段】
【０００５】
本開示にかかる情報装置は、位置検出部と、通信部と、制御部とを備える。位置検出部は、情報装置が特定の場所に位置していること、及び情報装置が特定の場所から離れていることの少なくとも一方を示す特定の位置情報を検出する。通信部は、位置検出部が特定の位置情報を検出すると、電子機器と通信し、電子機器から、電子機器の電池残量及びメモリ残量の少なくとも一方に関する残量情報を取得する。制御部は、残量情報に示される電池残量及びメモリ残量の少なくとも一方が、あらかじめ設定された閾値を下回っている場合に、電池残量及びメモリ残量の少なくとも一方が閾値を下回っていることを報知する報知信号を出力する。
【発明の効果】
【０００６】
本開示にかかる情報装置は、電子機器における電池残量及びメモリ残量の少なくとも一方を適時に通知するのに有効である。
【図面の簡単な説明】
【０００７】
【図１】図１は、実施の形態１にかかるデジタルカメラとスマートフォンからなるシステム構成図である。
【図２】図２は、デジタルカメラの電気的構成図である。
【図３】図３は、スマートフォンの電気的構成図である。
【図４】図４は、スマートフォンに報知画面を表示させる動作を示すフローチャートである。
【図５】図５は、スケジューラで管理されるスケジュール帳の一例を示す図である。
【図６】図６は、スマートフォンの画面に表示された報知画面の表示例を示すイメージ図である。
【発明を実施するための形態】
【０００８】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、出願人は、当業者が本開示を十分に理解するために添付図面及び以下の説明を提供するのであって、これらによって特許請求の範囲に記載の主題を限定することを意図するものではない。
【００１０】
［実施の形態１］
以下、図１〜図６を用いて、実施の形態１について説明する。
【００１１】
図１は、本実施の形態１にかかるデジタルカメラ１００とスマートフォン２００からなるシステム構成図である。スマートフォン２００は、Ｂｌｕｅｔｏｏｔｈ（登録商標、以下同様）を介した通信動作を経て、デジタルカメラ１００から情報を読み取ることができる。
【００１２】
実施の形態１にかかるスマートフォン２００は、使用者が所持しているスマートフォン２００が特定の場所（例えば自宅）に位置していること、又は特定の場所から離れていることを検出すると、デジタルカメラ１００から電池残量に関する情報を読み取り、電池残量があらかじめ設定された閾値を下回っている場合、その旨を示す情報を報知する。これにより、スマートフォン２００は、デジタルカメラ１００における電池残量を適時に通知できる。
【００１３】
以下、実施の形態１にかかるデジタルカメラ１００及びスマートフォン２００の構成と、動作について説明する。
【００１４】
［１．構成］
以下図を用いて、実施の形態１にかかるデジタルカメラ１００及びスマートフォン２００の構成を説明する。
【００１５】
［１−１．デジタルカメラの構成］
図２は、デジタルカメラ１００の電気的構成図である。デジタルカメラ１００は、光学系１１０を介して形成された被写体像をＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ１１５で撮像する。ＣＭＯＳイメージセンサ１１５は、撮像した被写体像に基づく撮像データ（ＲＡＷデータ）を生成する。画像処理部１２０は、撮像により生成された撮像データに対して各種処理を施して画像データを生成する。コントローラ１３５は、画像処理部１２０にて生成された画像データを、カードスロット１４０に装着されたメモリカード１４５に記録する。また、コントローラ１３５は、使用者による操作部１５０の操作を受け付けて、メモリカード１４５に記録された画像データを液晶モニタ１３０上に表示させること（再生）ができる。
【００１６】
光学系１１０は、フォーカスレンズ、ズームレンズ、光学式手ぶれ補正レンズ（Ｏｐｔｉｃａｌ  Ｉｍａｇｅ  Ｓｔａｂｉｌｉｚｅｒ：ＯＩＳ）、絞り、シャッタ等を含む。光学系１１０に含まれる各種レンズの枚数は、何枚でもよい。また光学系１１０は、それぞれ複数のレンズで構成された複数のユニットで構成されていてもよい。
【００１７】
ＣＭＯＳイメージセンサ１１５は、光学系１１０を介して形成された被写体像を撮像して撮像データを生成する。ＣＭＯＳイメージセンサ１１５は、所定のフレームレート（例えば、３０フレーム／秒）で新しいフレームの画像データを生成する。ＣＭＯＳイメージセンサ１１５における、撮像データの生成タイミング及び電子シャッタ動作は、コントローラ１３５によって制御される。なお、実施の形態１のデジタルカメラ１００には、撮像素子としてＣＭＯＳイメージセンサが搭載されているが、撮像素子はＣＭＯＳイメージセンサに限定されない。撮像素子として、ＣＣＤ（Ｃｈａｒｇｅ  Ｃｏｕｐｌｅｄ  Ｄｅｖｉｃｅ）イメージセンサやＮＭＯＳ（ｎ-Ｃｈａｎｎｅｌ  Ｍｅｔａｌ-Ｏｘｉｄｅ  Ｓｅｍｉｃｏｎｄｕｃｔｏｒ）イメージセンサなど、他のイメージセンサを用いてもよい。
【００１８】
画像処理部１２０は、ＣＭＯＳイメージセンサ１１５から出力された撮像データに各種の処理を施して、画像データを生成する。また画像処理部１２０は、メモリカード１４５から読み出した画像データに各種の処理を施して、液晶モニタ１３０に表示するための画像を生成する。各種の処理としては、ホワイトバランス補正、ガンマ補正、ＹＣ変換処理、電子ズーム処理、圧縮処理、伸張処理等が挙げられるが、これらに限定されない。画像処理部１２０は、ハードワイヤードな電子回路で構成されてもよいし、プログラムを用いたマイクロコンピュータなどで構成されてもよい。
【００１９】
液晶モニタ１３０は、デジタルカメラ１００の背面に備わる。液晶モニタ１３０は、画像処理部１２０にて処理された画像データに基づく画像を表示する。なお、液晶モニタは、表示装置の一例であり、表示装置として、有機ＥＬモニタなど、他のモニタを用いてもよい。
【００２０】
コントローラ１３５は、デジタルカメラ１００全体の動作を統括制御する。コントローラ１３５は、ハードワイヤードな電子回路で構成してもよいし、マイクロコンピュータなどで構成してもよい。また、コントローラ１３５は、画像処理部１２０などと共に１つの半導体チップで構成されてもよい。またコントローラ１３５は、内部にＲＯＭ（Ｒｅａｄ  Ｏｎｌｙ  Ｍｅｍｏｒｙ）を有している。ＲＯＭには、他の通信機器とのＷｉ−Ｆｉ通信を確立するために必要なＳＳＩＤ（Ｓｅｒｖｉｃｅ  Ｓｅｔ  Ｉｄｅｎｔｉｆｉｅｒ）、ＷＰＡ（Ｗｉ−Ｆｉ  Ｐｒｏｔｅｃｔｅｄ  Ａｃｃｅｓｓ）キーが記憶されている。コントローラ１３５は、必要に応じて、ＲＯＭからＳＳＩＤ、ＷＰＡ（Ｗｉ−Ｆｉ  Ｐｒｏｔｅｃｔｅｄ  Ａｃｃｅｓｓ）キーを読み出すことができる。また、ＲＯＭには、オートフォーカス制御（ＡＦ制御）や、電池残量の取得機能や、メモリ残量の取得機能や、通信制御に関するプログラムの他、デジタルカメラ１００全体の動作を統括制御するためのプログラムが記憶されている。電池残量取得部１３７は、コントローラ１３５の一部であり、コントローラ１３５の電池残量の取得機能に関するプログラムによって実現される。電池残量取得部１３７は、電池残量の取得機能によって、二次電池１４７の電池残量を百分率（０〜１００％）で表す情報（残量情報）を取得できる。例えば、残量情報が「０％」の場合、二次電池１４７の電池残量が無いことを示す。残量情報が「１００％」の場合、二次電池１４７がフルに充電されていることを示す。メモリ残量取得部１３８は、コントローラ１３５の一部であり、コントローラ１３５のメモリ残量の取得機能に関するプログラムによって実現される。メモリ残量取得部１３８は、メモリカード１４５のメモリ残量を表す情報（残量情報）を取得できる。
【００２１】
バッファメモリ１２５は、画像処理部１２０やコントローラ１３５のワークメモリとして機能する記憶媒体である。バッファメモリ１２５は、ＤＲＡＭ（Ｄｙｎａｍｉｃ  Ｒａｎｄｏｍ  Ａｃｃｅｓｓ  Ｍｅｍｏｒｙ）などにより実現される。
【００２２】
カードスロット１４０は、メモリカード１４５を着脱可能な接続手段である。カードスロット１４０は、メモリカード１４５を電気的及び機械的に接続可能である。メモリカード１４５は、内部にフラッシュメモリ等の記録素子を備えた外部メモリである。メモリカード１４５は、画像処理部１２０で生成される画像データなどのデータを格納できる。
【００２３】
二次電池１４７は、デジタルカメラ１００に電力を供給するための充電池である。例えば、デジタルカメラ１００においては、リチウムイオン電池で構成される。
【００２４】
操作部１５０は、デジタルカメラ１００の外装に備わっている操作釦や操作レバー等のハードキーの総称であり、使用者による操作を受け付ける。操作部１５０は使用者による操作を受け付けると、コントローラ１３５に種々の動作指示信号を通知する。
【００２５】
Ｗｉ−Ｆｉモジュール１５５は、通信規格ＩＥＥＥ８０２．１１に準拠した通信を行う通信モジュールである。デジタルカメラ１００は、Ｗｉ−Ｆｉモジュール１５５を介して、Ｗｉ−Ｆｉモジュールを搭載した他の通信機器と通信することができる。デジタルカメラ１００は、Ｗｉ−Ｆｉモジュール１５５を介して、他の通信機器と直接通信を行ってもよいし、アクセスポイント経由で通信を行ってもよい。
【００２６】
Ｂｌｕｅｔｏｏｔｈモジュール１６０は、通信規格８０２．１５．１すなわち、Ｂｌｕｅｔｏｏｔｈ（登録商標）に準拠した通信を行う通信モジュールである。Ｂｌｕｅｔｏｏｔｈモジュール１６０は、比較的通信ビットレートが高く、通信エリアが数メートル以上である通信が可能である。本実施の形態では、Ｂｌｕｅｔｏｏｔｈモジュール１６０は、ＢＬＥ（Ｂｌｕｅｔｏｏｔｈ  Ｌｏｗ  Ｅｎｅｒｇｙ）と呼ばれる省電力機能を備え、長時間使用に適するバージョン４．０と、電波到達距離が長く家中にしっかり電波が届くＣｌａｓｓ１をサポートする。
【００２７】
［１−２．スマートフォンの構成］
図３は、スマートフォン２００の電気的構成図である。スマートフォン２００は、画像処理部２０５にて生成された画像データが示す画像を、液晶モニタ２１５に表示することができる。液晶モニタ２１５の表面にはタッチパネル２１０が配置されており、使用者によるタッチ操作を受け付けることができる。また、スマートフォン２００は操作部２３０を有し、操作部２３０上でタッチパネル２１０による操作以外の操作を行うことができる。コントローラ２２５は、Ｗｉ−Ｆｉモジュール２３５、Ｂｌｕｅｔｏｏｔｈモジュール２４０を介して、他の通信機器と通信することができる。
【００２８】
画像処理部２０５は、フラッシュメモリ２４５から読み出した画像データに各種の処理を施して、液晶モニタ２１５に表示するための画像を生成する。各種処理としては、伸張処理等が挙げられるが、これらに限定されない。画像処理部２０５は、ハードワイヤードな電子回路で構成してもよいし、プログラムを用いたマイクロコンピュータなどで構成してもよい。
【００２９】
タッチパネル２１０は、使用者の指等の接触を検出して操作情報をコントローラ２２５に出力する入力デバイスである。タッチパネル２１０は、液晶モニタ２１５の表面に配置されている。タッチパネル２１０の方式は、抵抗膜方式でも、静電容量方式でも、他の方式であっても構わない。
【００３０】
液晶モニタ２１５は、コントローラ２２５から指示された画面を表示する表示デバイスである。
【００３１】
バッファメモリ２２０は、コントローラ２２５が各種処理動作を実行するために必要な情報を一時的に格納するメモリである。
【００３２】
コントローラ２２５は、スマートフォン２００を構成する各部の動作を制御する。コントローラ２２５は、画像処理部２０５、タッチパネル２１０、液晶モニタ２１５、バッファメモリ２２０、操作部２３０、フラッシュメモリ２４５、Ｗｉ−Ｆｉモジュール２３５及びＢｌｕｅｔｏｏｔｈモジュール２４０に電気的に接続されている。コントローラ２２５は、ハードワイヤードな電子回路で構成されてもよいし、マイクロコンピュータなどで構成されてもよい。また、コントローラ２２５は、画像処理部２０５などと共に１つの半導体チップで構成されてもよい。また、コントローラ２２５は内部にＲＯＭを有している。ＲＯＭには、他の通信機器とのＷｉ−Ｆｉ通信を確立するために必要なＳＳＩＤ（Ｓｅｒｖｉｃｅ  Ｓｅｔ  Ｉｄｅｎｔｉｆｉｅｒ）、ＷＰＡキーが記憶されている。コントローラ２２５は、必要に応じて、ＲＯＭからＳＳＩＤ、ＷＰＡキーを読み出すことができる。また、ＲＯＭには、スケジュールを管理する管理機能や、デジタルカメラ１００の電池残量及びメモリ残量を問合せする問い合せ機能や、通信制御に関するプログラムの他、スマートフォン２００全体の動作を統括制御するためのプログラムが記憶されている。
【００３３】
スケジューラ２２７（スケジュール管理部）は、スマートフォン２００の使用者のスケジュールを管理するプログラムを実行する。スケジュールとは、例えば外出など、種々の予定を含む。スマートフォン２００の使用者は、操作部２３０を用いてスケジューラ２２７に自分の予定を都度入力したり変更したりできる。また、液晶モニタ２１５に予定を表示して確認することができる。
【００３４】
スケジューラ２２７は、時間設定部としても機能する。すなわちスケジューラ２２７は、後述するＢｌｕｅｔｏｏｔｈモジュール２４０がデジタルカメラ１００に対して通信を開始する通信開始時間を設定する。例えばスマートフォン２００の使用者は、自分の生活習慣を考慮して、デジタルカメラ１００の二次電池１４７の充電を開始する時間として、所望の時間を選択する。そして使用者は、スケジューラ２２７に、所望の時間を通信開始時間として設定する。コントローラ２２５は、後述する位置検出部が、特定の場所にデジタルカメラ１００が位置していると検出し、かつ、時間設定部としてのスケジューラ２２７に設定された通信開始時間になると、Ｂｌｕｅｔｏｏｔｈモジュール２４０に対し、デジタルカメラ１００との通信を開始させる。
【００３５】
Ｗｉ−Ｆｉモジュール２３５は、通信規格ＩＥＥＥ８０２．１１に準拠した通信を行う通信モジュールである。スマートフォン２００は、Ｗｉ−Ｆｉモジュール２３５を介して、Ｗｉ−Ｆｉモジュールを搭載した他の通信機器と通信することができる。スマートフォン２００は、Ｗｉ−Ｆｉモジュール２３５を介して、他の通信機器と直接通信を行ってもよいし、アクセスポイント経由で通信を行ってもよい。
【００３６】
実施の形態１では、コントローラ２２５とＷｉ−Ｆｉモジュール２３５により、使用者が所有するスマートフォン２００が特定の場所に位置しているか否かを検出する位置検出部（後述する）を構成する。
【００３７】
Ｂｌｕｅｔｏｏｔｈモジュール２４０は、通信規格８０２．１５．１すなわち、Ｂｌｕｅｔｏｏｔｈ（登録商標）に準拠した通信を行う通信モジュールである。Ｂｌｕｅｔｏｏｔｈモジュール２４０は、比較的通信ビットレートが高く、通信エリアが数メートル以上である通信が可能である。本実施の形態では、Ｂｌｕｅｔｏｏｔｈモジュール２４０は、ＢＬＥ（Ｂｌｕｅｔｏｏｔｈ  Ｌｏｗ  Ｅｎｅｒｇｙ）と呼ばれる省電力機能を備え、長時間使用に適するバージョン４．０と、電波到達距離が長く家中にしっかり電波が届くＣｌａｓｓ１をサポートする。
【００３８】
フラッシュメモリ（以下単に「メモリ」という。）２４５は、スマートフォン２００で撮影した画像データ及びデジタルカメラ１００から転送された二次電池１４７の電池残量やメモリ残量、画像データ等を格納する。
【００３９】
なお、スマートフォン２００は、電話機能やインターネット通信機能やカメラ機能を備えていてもよい。
【００４０】
［２．動作］
まず、スマートフォン２００を用いてデジタルカメラ１００の使用者が特定の場所に位置しているか否かを検出する方法について説明する。
【００４１】
スマートフォン２００のフラッシュメモリ２４５に、あらかじめ自宅の無線アクセスポイントを自動接続先として登録しておく。またデジタルカメラ１００の電池充電を行う特定の場所として、自宅を登録しておく。
【００４２】
スマートフォン２００のコントローラ２２５は、登録された自宅の無線アクセスポイントを見つけると、Ｗｉ−Ｆｉモジュール２３５を、この無線アクセスポイントに接続させる。コントローラ２２５は、Ｗｉ−Ｆｉモジュール２３５が無線アクセスポイントと接続したことを検出すると、使用者が自宅へ帰宅したと判断する。すなわちコントローラ２２５は、Ｗｉ−Ｆｉモジュール２３５があらかじめ登録された無線アクセスポイントに接続されている場合、スマートフォン２００が自宅に位置していることを示す位置情報を検出する。逆に、Ｗｉ−Ｆｉモジュール２３５があらかじめ登録された自宅の無線アクセスポイントから切断された場合、スマートフォン２００が自宅から離れていることを示す位置情報を検出できる。
【００４３】
したがって、スマートフォン２００のコントローラ２２５とＷｉ−Ｆｉモジュール２３５とで、使用者が所有するスマートフォン２００が特定の場所に位置していること、及び特定の場所から離れていることの少なくとも一方を検出する位置検出部を構成できる。
【００４４】
次に、上記の位置検出部を用いて使用者が帰宅したことを検出した後、スケジューラ２２７に連動した時刻に報知画面を起動する動作を説明する。
【００４５】
図４はスマートフォン２００の液晶モニタ２１５に報知画面を表示させる動作を示すフローチャートである。
【００４６】
スマートフォン２００の使用者は、時間設定部としてのスケジューラ２２７を用いて、デジタルカメラ１００の充電開始時刻として、あらかじめ時刻Ｔ１（例えば、１５：００）を設定している。この時刻Ｔ１の設定は、維持されているものとする（ステップＳ４０）。
【００４７】
次にステップＳ４１において、スマートフォン２００のコントローラ２２５は、あらかじめフラッシュメモリ２４５に登録された、自宅の自動接続先のアクセスポイントを見つけたか否かを判定する。このアクセスポイントを見つけると、Ｗｉ−Ｆｉモジュール２３５の接続先が、自動的にこのアクセスポイントに切り替わる。これによりコントローラ２２５は、使用者が帰宅したことを検出する。スマートフォン２００の使用者が帰宅したことを検出すると、ステップＳ４２において、スマートフォン２００のコントローラ２２５は、デジタルカメラ１００を使用する予定がスケジューラ２２７に登録されているか否かを検索する。
【００４８】
ここで、スマートフォン２００の使用者は、フラッシュメモリ２４５に、あらかじめデジタルカメラ１００の電池を充電させておく必要の高い予定のキーワードを登録しておく。予定としては、サーバにアップロードする写真を写す可能性の高いイベントが望ましい。すなわち望ましいキーワードとしては、例えば、撮影会、家族、遊園地などのキーワードである。図５はスケジューラ２２７に登録されたスケジュールの一例を示す図である。図５に示すスケジュールには、７月２９日（土）の開始時刻１３：３０からの「家族と遊園地」という予定（第１の予定）が登録されている。この予定は、あらかじめ使用者により登録されている。コントローラ２２５は、登録された第１の予定に基づき、「家族」「遊園地」というワードをラベルとして取り出す。ラベルは、タイトルやタグとも呼ばれる。「家族」、「遊園地」というラベルはデジタルカメラ１００の電池充電が必要な予定のキーワードであるので、スマートフォン２００のコントローラ２２５は、デジタルカメラ１００を使用する予定があると判断する。
【００４９】
そしてステップＳ４３において、スマートフォン２００のコントローラ２２５は、開始時刻１３：３０からの「家族と遊園地」の予定（第１の予定）に基づいて、時間設定部にあらかじめ設定された上記時刻Ｔ１（例えば、１５：００）を時刻Ｔ２（例えば、１２：３０）に変更する。このようにあらかじめ登録されているキーワードと、スケジューラ２２７に設定された第１の予定のラベルとが一致する場合、時間設定部に設定された時刻Ｔ１を、第１の予定の開始時刻よりも前の時刻Ｔ２に変更する。第１の予定の開始時刻１３：３０よりも前の時刻Ｔ２（例えば、１２：３０）は、充電開始時刻にほぼ等しい。時刻Ｔ２は、スケジュールの開始時刻１３：３０までに二次電池１４７の充電を終えられるように設定される。なお、ステップＳ４３において、コントローラ２２５は、スケジューラ２２７で管理されているスケジュールに基づいて、デジタルカメラ１００の充電を開始する時刻を見積もっている。しかし、例えば充電を開示する時刻として算出された時刻Ｔ２（例えば、１２：３０）に、充電不要な他の予定（第２の予定）が入っているとする。この場合、コントローラ２２５は、時間設定部に対し、充電を開始する時刻を、第２の予定（時刻１２：００〜１３：００）よりもさらに前の時刻Ｔ３（例えば、１１：３０又は１１：５０）に設定する。このことにより、スマートフォン２００の使用者は、充電不要な第２の予定があるために、時刻Ｔ２（例えば、１２：３０）に充電できないという事態を回避できる。
【００５０】
次に、コントローラ２２５は、ステップＳ４４において、現在時刻と時間設定部に設定された時刻（ステップＳ４２においてデジタルカメラ１００を使用する予定がないと判断された場合は、時刻Ｔ１（例えば、１５：００）であり、ステップＳ４２でデジタルカメラ１００を使用する予定があると判断された場合は、ステップＳ４３で再設定された時刻Ｔ２）とが一致するか否かを判断する。コントローラ２２５は、現在時刻と時間設定部に設定された時刻とが一致すると判断すると、スマートフォン２００のＢｌｕｅｔｏｏｔｈモジュール２４０に対し、デジタルカメラ１００の二次電池１４７の電池残量を問い合わせるよう指示する。スマートフォン２００のＢｌｕｅｔｏｏｔｈモジュール２４０は、デジタルカメラ１００のＢｌｕｅｔｏｏｔｈモジュール１６０と通信し、二次電池１４７の電池残量を問い合わせる（ステップＳ４５）。
【００５１】
ステップＳ４６において、デジタルカメラ１００の電池残量取得部１３７は、二次電池１４７の電池残量を取得する。そしてステップＳ４７において、デジタルカメラ１００のＢｌｕｅｔｏｏｔｈモジュール１６０は、スマートフォン２００のＢｌｕｅｔｏｏｔｈモジュール２４０に対して、二次電池１４７の電池残量を示す残量情報を送信する。
【００５２】
次にステップＳ４８において、スマートフォン２００のコントローラ２２５は、デジタルカメラ１００から送られた残量情報に基づいて、二次電池１４７の電池残量があらかじめ設定されている閾値以下であるか否かを判断する。この閾値は、デジタルカメラ１００の充電が必要となる電池残量を判断するために用いられる閾値であって、スマートフォン２００のフラッシュメモリ２４５にあらかじめ登録されている。例えば、この閾値が２０％と設定されていた場合、デジタルカメラ１００から送られた二次電池１４７の電池残量が１０％のとき、スマートフォン２００のコントローラ２２５は、デジタルカメラ１００の充電が必要と判断する。そしてコントローラ２２５は、電池残量が閾値以下であることを示す報知信号を出力する。
【００５３】
そしてステップＳ４９において、コントローラ２２５からの報知信号に基づいて、スマートフォン２００の液晶モニタ２１５は、図６に示すような報知用のメッセージを表示する。報知用のメッセージは、例えば図６に示すように「あなたのカメラの充電を今すぐお願いします。」というメッセージである。
【００５４】
これによりスマートフォン２００の使用者にデジタルカメラ１００の電池充電を適時に促すことができる。
【００５５】
併せて図６に示すように、液晶モニタ２１５に「１３：３０から  “家族と遊園地”  の予定があります。」と表示する。これによりスマートフォン２００のユーザは、デジタルカメラ１００の電池を充電する理由も分かり好都合である。
【００５６】
以上のとおり、図４の説明では、スマートフォン２００の位置検出部がスマートフォン２００を所有する使用者が特定場所（例えば、自宅）にいることを検出し、かつ、時間設定部に設定された通信開始時刻になると、デジタルカメラ１００の電池残量を問い合わせる通信を開始した。しかしスマートフォン２００の位置検出部が特定の場所（例えば自宅）から離れていることを検出し、かつ、時間設定部に設定された通信開始時刻になると、デジタルカメラ１００の電池残量を問い合わせる通信を開始してもよい。
【００５７】
［３．まとめ］
以上のように、情報装置（スマートフォン２００）は、使用者が所有するスマートフォン２００が特定の場所（例えば自宅）に位置していること、及び特定の場所（例えば自宅）から離れていることの少なくとも一方を位置検出部で検出すると、通信部（Ｂｌｕｅｔｏｏｔｈモジュール２４０）を介して電子機器（デジタルカメラ１００）と通信し、デジタルカメラ１００の電池残量を取得する。スマートフォン２００のコントローラ２２５は、デジタルカメラ１００の電池残量があらかじめ設定された閾値を下回った場合、その旨を示す報知信号を出力する。これにより、本開示にかかるスマートフォン２００は、デジタルカメラ１００における電池残量を適時に通知するのに有効である。
【００５８】
さらに、Ｂｌｕｅｔｏｏｔｈモジュール２４０とデジタルカメラ１００とが通信を開始する通信開始時間を設定する時間設定部（スケジューラ２２７）を有する。スマートフォン２００のコントローラ２２５は、位置検出部が、特定の場所にスマートフォン２００が位置していること、及び特定の場所にスマートフォン２００が位置していないことの少なくとも一方を示す位置情報を検出し、かつ、時間設定部に設定された通信開始時間になると、Ｂｌｕｅｔｏｏｔｈモジュール２４０にデジタルカメラ１００との通信を開始させる。これによりさらにスマートフォン２００は、デジタルカメラ１００における電池残量を適時に通知することができる。
【００５９】
スマートフォン２００のコントローラ２２５は、スケジュール管理部（スケジューラ２２７）に設定された使用者のスケジュールに基づいて、時間設定部に、Ｂｌｕｅｔｏｏｔｈモジュール２４０がデジタルカメラ１００に対して通信を開始する通信開始時間を設定する。これにより例えば使用者は、外出時間より前にデジタルカメラ１００の充電を促す報知メッセージを受け取ることができる。つまり、使用者は、自身の予定に合わせて適時に報知メッセージを受け取り、デジタルカメラ１００の充電を開始することができる。
【００６０】
［他の実施の形態］
本開示は、上記実施の形態に限定されず、種々の実施形態が考えられる。
【００６１】
以下、本開示の他の実施形態についてまとめて記載する。
【００６２】
上記実施の形態では、電池残量取得部１３７は電池残量の取得機能によって、電池残量を百分率（０〜１００）で表す情報を取得できるとした。しかし、電池残量は、任意の分割数（０〜３など）や任意のレベル値（レベル１〜レベル５など）によって表されても構わない。さらに電池残量を放電容量［ｍＡｈ］などで表現してもよい。
【００６３】
上記実施の形態では、スマートフォン２００は、通信部としてＢｌｕｅｔｏｏｔｈ（登録商標）を用いてデジタルカメラ１００と通信し、デジタルカメラ１００から電池残量を取得したが、Ｂｌｕｅｔｏｏｔｈ（登録商標）以外のＷｉ−Ｆｉや赤外線通信などの他の無線通信手段を用いてもよい。
【００６４】
上記実施の形態では、スマートフォン２００は、デジタルカメラ１００から電池残量に関する残量情報を読み取り、電池残量があらかじめ設定された閾値を下回った場合、その旨を示す報知信号を出力する例を示した。そして上記実施の形態では、報知信号が、液晶モニタ２１５にメッセージを表示させる信号である例を示した。しかし報知信号が、音声案内を動作させる信号や、音楽を鳴らす信号、或いはバイブレータを動作させる信号等であってもよい。すなわち報知信号は、デジタルカメラ１００の使用者に電池残量が少ないことを通知し、電池充電を促すことが出来れば、種々の形態であってよい。またスマートフォン２００は、デジタルカメラ１００から、残量情報としてメモリカード１４５のメモリ残量に関する情報を読み取ってもよい。そしてメモリ残量があらかじめフラッシュメモリ２４５に設定された閾値を下回った場合、その旨を示す報知信号を出力してもよい。またメモリ残量に関する残量情報としては、例えばメモリカード１４５の残量を示すバイト数や、撮影可能な写真の枚数、撮影可能な録画時間等が挙げられる。
【００６５】
上記実施の形態では、スマートフォン２００のフラッシュメモリ２４５に、あらかじめデジタルカメラ１００の電池充電を行う特定の場所として自宅を登録しておく例を挙げたが、特定の場所として事務所や職場などを登録してもよい。この場合、スマートフォン２００のフラッシュメモリ２４５には、事務所や職場の無線アクセスポイントを自動接続先として登録しておく。そしてスマートフォン２００のＷｉ−Ｆｉモジュール２３５が自動接続先の無線アクセスポイントに接続された場合、コントローラ２２５は、スマートフォン２００が事務所や職場に位置していることを検出する。
【００６６】
また上記実施の形態では、スマートフォン２００のコントローラ２２５とＷｉ‐Ｆｉモジュール２３５とを用いることで、スマートフォン２００が特定の場所に位置していることを検出する例を挙げた。つまり上記実施の形態の位置検出部は、コントローラ２２５とＷｉ−Ｆｉモジュール２３５とで構成されている。しかし位置検出部の構成はこれに限らない。例えば位置検出部は、コントローラ２２５とＢｌｕｅｔｏｏｔｈモジュール２４０とで構成されてもよい。この場合は、コントローラ２２５が、Ｂｌｕｅｔｏｏｔｈモジュール２４０と、特定の場所にあるＢｌｕｅｔｏｏｔｈ機器との通信を検出することで、スマートフォン２００が特定の場所に位置しているか否かを検出してもよい。さらに位置検出部は、スマートフォン２００に搭載されるＧＰＳ（Ｇｌｏｂａｌ  Ｐｏｓｉｔｉｏｎｉｎｇ  Ｓｙｓｔｅｍ）とコントローラ２２５とで構成されてもよい。この場合、スマートフォン２００がＧＰＳの位置情報があらかじめ登録された位置（例えば自宅）を示すことで、使用者が帰宅したこと、つまりスマートフォン２００が自宅に位置することを検出できる。また、ＧＰＳを位置検出部として用いる場合も、カメラの電池充電を行う事務所や職場などの位置情報を、特定の場所としてあらかじめフラッシュメモリ２４５に登録しておいてもよい。さらにコントローラ２２５は、スマートフォン２００があらかじめ登録された場所の近傍、例えば半径１０ｍの範囲内に入った時や出た時にＢｌｕｅｔｏｏｔｈモジュール２４０などの通信部を介して電池残量を取得してもよい。
【００６７】
また、二次電池１４７がデジタルカメラ１００に装着されていない場合、デジタルカメラ１００は電池残量を示す残量情報をスマートフォン２００に送ることができない。スマートフォン２００のコントローラ２２５は、電池残量を示す残量情報が送られてこない場合、デジタルカメラ１００に二次電池１４７が装着されていない旨の報知信号を出力してもよい。この報知信号に基づいて、スマートフォン２００の液晶モニタ２１５は、使用者に注意を喚起するメッセージを表示してもよい。或いはこの報知信号に基づいて、音声や光を出力し、使用者に注意を喚起してもよい。
【００６８】
同様に、メモリカード１４５がデジタルカメラ１００に装着されていない場合、デジタルカメラ１００はメモリ残量を示す残量情報をスマートフォン２００に送ることができない。スマートフォン２００のコントローラ２２５は、メモリ残量を示す残量情報が送られてこない場合、デジタルカメラ１００にメモリカード１４５が装着されていない旨の報知信号を出力してもよい。スマートフォン２００は、この報知信号に基づいて、使用者に注意を喚起してもよい。
【００６９】
また上記実施の形態では、電子機器としてデジタルカメラ１００を例に挙げたが、デジタルカメラ１００に限定されない。例えばスマートフォンや、ノート型パーソナルコンピュータ、電子手帳、デジタルビデオ等、種々の電子機器が挙げられる。
【００７０】
また上記実施の形態では、スマートフォン２００とデジタルカメラ１００の所有者が同一であると想定して説明したが、各所有者が異なっていてもよい。家族や職場のメンバーでグループを構成し、一つのデジタルカメラ１００と、各メンバーが保有するスマートフォン２００とでシステムを構成してもよい。
【００７１】
以上のように、本開示における技術の例示として、実施の形態を説明した。そのために、添付図面及び詳細な説明を提供した。
【００７２】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７３】
また、上述の実施の形態は、本開示における技術を例示するためのものであるから、特許請求の範囲またはその均等の範囲において種々の変更、置き換え、付加、省略などを行うことができる。
【産業上の利用可能性】
【００７４】
本開示は、電子機器における電池残量やメモリ残量を適時に通知する情報装置に適用可能である。具体的には、使用者に身に着けて持ち歩くウェアラブルデバイス、ウェアラブル端末などのウェアラブルコンピュータなどに、本開示は適用可能である。
【符号の説明】
【００７５】
１００    デジタルカメラ
１２０    画像処理部
１２５    バッファメモリ
１３０    液晶モニタ
１３５    コントローラ
１３７    電池残量取得部
１３８    メモリ残量取得部
１４５    メモリカード
１４７    二次電池
１５０    操作部
１５５    モジュール
１６０    Ｂｌｕｅｔｏｏｔｈモジュール
２００    スマートフォン
２０５    画像処理部
２１５    液晶モニタ
２２０    バッファメモリ
２２５    コントローラ
２２７    スケジューラ
２３０    操作部
２３５    モジュール
２４０    Ｂｌｕｅｔｏｏｔｈモジュール
【図１】
2018026780.tif 000003
【図２】
2018026780.tif 000004
【図３】
2018026780.tif 000005
【図４】
2018026780.tif 000006
【図５】
2018026780.tif 000007
【図６】
2018026780.tif 000008